(57)【要約】【課題】  単独動作において消費される電力を抑制することができる回路装置、電気光学装置及び電子機器の提供。【解決手段】  本実施形態の回路装置１００は、表示パネル２００を駆動する駆動回路１１０と、クロック信号を生成するクロック信号生成回路１２０と、制御処理を行う制御回路１３０と、スレーブ側回路装置に対してクロック信号を供給するためのクロック端子ＣＬＫと、を含む。そして、制御回路１３０は、マスターモードでは、クロック端子ＣＬＫを介してクロック信号をスレーブ側回路装置に対して出力する制御を行い、単独動作モードでは、クロック端子ＣＬＫからのクロック信号の出力を停止する制御を行う。【選択図】  図１
2016212238.tif 000002
【特許請求の範囲】
【請求項１】
表示パネルを駆動する駆動回路と、
クロック信号を生成するクロック信号生成回路と、
制御処理を行う制御回路と、
スレーブ側回路装置に対して前記クロック信号を供給するためのクロック端子と、
を含み、
前記制御回路は、
マスターモードでは、前記クロック端子を介して前記クロック信号を前記スレーブ側回路装置に対して出力する制御を行い、
単独動作モードでは、前記クロック端子からの前記クロック信号の出力を停止する制御を行うことを特徴とする回路装置。
【請求項２】
請求項１において、
前記スレーブ側回路装置に対して表示制御信号を供給するための表示制御端子を含み、
前記制御回路は、
前記マスターモードでは、前記表示制御端子を介して前記表示制御信号を前記スレーブ側回路装置に対して出力する制御を行い、
前記単独動作モードでは、前記表示制御端子からの前記表示制御信号の出力を停止する制御を行うことを特徴とする回路装置。
【請求項３】
請求項１又は２において、
前記クロック信号用のＩ／Ｏ回路を含み、
前記制御回路は、
前記単独動作モードでは、前記Ｉ／Ｏ回路の出力バッファーの動作を停止することを特徴とする回路装置。
【請求項４】
請求項２において、
前記表示制御信号用のＩ／Ｏ回路を含み、
前記制御回路は、
前記単独動作モードでは、前記Ｉ／Ｏ回路の出力バッファーの動作を停止することを特徴とする回路装置。
【請求項５】
請求項３において、
前記Ｉ／Ｏ回路は、
前記クロック信号を出力するための出力バッファーと、
前記クロック信号を入力するための入力バッファーと、
前記出力バッファーと前記入力バッファーを制御するためのＩ／Ｏ制御回路と、
を含み、
前記制御回路は、
前記Ｉ／Ｏ制御回路にＩ／Ｏ切り替え信号と、データイネーブル信号を入力することを特徴とする回路装置。
【請求項６】
請求項４において、
前記Ｉ／Ｏ回路は、
前記表示制御信号を出力するための出力バッファーと、
前記表示制御信号を入力するための入力バッファーと、
前記出力バッファーと前記入力バッファーを制御するためのＩ／Ｏ制御回路と、
を含み、
前記制御回路は、
前記Ｉ／Ｏ制御回路にＩ／Ｏ切り替え信号と、データイネーブル信号を入力することを特徴とする回路装置。
【請求項７】
請求項５又は６において、
前記マスターモードでは、前記Ｉ／Ｏ切り替え信号で前記出力バッファーをイネーブルに、前記入力バッファーをディセーブルに設定し、
前記単独動作モードでは、前記データイネーブル信号で前記出力バッファーの出力を固定電圧レベルに設定し、前記Ｉ／Ｏ切り替え信号で前記入力バッファーを前記ディセーブルに設定することを特徴とする回路装置。
【請求項８】
請求項１乃至７のいずれかにおいて、
第１のモード設定端子及び第２のモード設定端子を有し、
前記第１のモード設定端子及び前記第２のモード設定端子の電圧レベルに基づいて、前記マスターモード、前記単独動作モード及びスレーブモードの切替が行われることを特徴とする回路装置。
【請求項９】
表示パネルを駆動する駆動回路と、
制御処理を行う制御回路と、
スレーブ側回路装置に対して表示制御信号を供給するための表示制御端子と、
を含み、
前記制御回路は、
マスターモードでは、前記表示制御端子を介して前記表示制御信号を前記スレーブ側回路装置に対して出力する制御を行い、
単独動作モードでは、前記表示制御端子からの前記表示制御信号の出力を停止する制御を行うことを特徴とする回路装置。
【請求項１０】
請求項１乃至９のいずれかに記載の回路装置と、前記表示パネルとを含むことを特徴とする電気光学装置。
【請求項１１】
請求項１乃至９のいずれかに記載の回路装置を含むことを特徴とする電子機器。
【発明の詳細な説明】
【技術分野】
【０００１】
本発明は、回路装置、電気光学装置及び電子機器等に関係する。
【背景技術】
【０００２】
特許文献１には、マスター側のドライバーＩＣとスレーブ側のドライバーＩＣとにより表示パネルを駆動する電気光学装置が開示されている。この電気光学装置では、マスター側のドライバーＩＣが表示制御信号を生成し、スレーブ側のドライバーＩＣが、外部配線を介して表示制御信号を入力するための入力端子を有する。
【先行技術文献】
【特許文献】
【０００３】
【特許文献１】特開２００１−９２４２４号公報
【発明の概要】
【発明が解決しようとする課題】
【０００４】
このように、マスター側のドライバーＩＣとスレーブ側のドライバーＩＣのマスター・スレーブ動作で表示パネルを駆動する従来技術はあった。しかしながら、製品によっては、マスター・スレーブ動作ではなく、単独動作で表示パネルを駆動する場合がある。この単独動作の場合は、スレーブ側ＩＣが存在しないにも関わらず、表示制御信号を出力するバッファー回路等が動作してしまい、このバッファー回路等において無駄に電力が消費されてしまう。
【０００５】
本発明の幾つかの態様によれば、単独動作において消費される電力を抑制することができる回路装置、電気光学装置及び電子機器等を提供することができる。
【課題を解決するための手段】
【０００６】
本発明の一態様は、表示パネルを駆動する駆動回路と、クロック信号を生成するクロック信号生成回路と、制御処理を行う制御回路と、スレーブ側回路装置に対して前記クロック信号を供給するためのクロック端子と、を含み、前記制御回路は、マスターモードでは、前記クロック端子を介して前記クロック信号を前記スレーブ側回路装置に対して出力する制御を行い、単独動作モードでは、前記クロック端子からの前記クロック信号の出力を停止する制御を行う回路装置に関係する。
【０００７】
本発明の一態様では、マスターモードでは、クロック端子を介してクロック信号をスレーブ側回路装置に対して出力する制御を行い、単独動作モードでは、クロック端子からのクロック信号の出力を停止する。よって、単独動作において消費される電力を抑制することができる。
【０００８】
また、本発明の一態様では、前記スレーブ側回路装置に対して表示制御信号を供給するための表示制御端子を含み、前記制御回路は、前記マスターモードでは、前記表示制御端子を介して前記表示制御信号を前記スレーブ側回路装置に対して出力する制御を行い、前記単独動作モードでは、前記表示制御端子からの前記表示制御信号の出力を停止する制御を行ってもよい。
【０００９】
これにより、単独動作モードにおいて、表示制御信号を出力するために消費される電力を抑制することができる。
【００１０】
また、本発明の一態様では、前記クロック信号用のＩ／Ｏ回路を含み、前記制御回路は、前記単独動作モードでは、前記Ｉ／Ｏ回路の出力バッファーの動作を停止してもよい。
【００１１】
これにより、単独動作モード時にクロック信号の出力を停止すること等が可能になる。
【００１２】
また、本発明の一態様では、前記表示制御信号用のＩ／Ｏ回路を含み、前記制御回路は、前記単独動作モードでは、前記Ｉ／Ｏ回路の出力バッファーの動作を停止してもよい。
【００１３】
これにより、単独動作モード時に表示制御信号の出力を停止すること等が可能になる。
【００１４】
また、本発明の一態様では、前記Ｉ／Ｏ回路は、前記クロック信号を出力するための出力バッファーと、前記クロック信号を入力するための入力バッファーと、前記出力バッファーと前記入力バッファーを制御するためのＩ／Ｏ制御回路と、を含み、前記制御回路は、前記Ｉ／Ｏ制御回路にＩ／Ｏ切り替え信号と、データイネーブル信号を入力してもよい。
【００１５】
これにより、クロック信号用のＩ／Ｏ制御回路は、入力されたＩ／Ｏ切り替え信号と、データイネーブル信号に基づいて、マスターモード、単独動作モード及びスレーブモードのいずれかの動作を行うこと等が可能になる。
【００１６】
また、本発明の一態様では、前記Ｉ／Ｏ回路は、前記表示制御信号を出力するための出力バッファーと、前記表示制御信号を入力するための入力バッファーと、前記出力バッファーと前記入力バッファーを制御するためのＩ／Ｏ制御回路と、を含み、前記制御回路は、前記Ｉ／Ｏ制御回路にＩ／Ｏ切り替え信号と、データイネーブル信号を入力してもよい。
【００１７】
これにより、表示制御信号用のＩ／Ｏ制御回路は、入力されたＩ／Ｏ切り替え信号と、データイネーブル信号に基づいて、マスターモード、単独動作モード及びスレーブモードのいずれかの動作を行うこと等が可能になる。
【００１８】
また、本発明の一態様では、前記マスターモードでは、前記Ｉ／Ｏ切り替え信号で前記出力バッファーをイネーブルに、前記入力バッファーをディセーブルに設定し、前記単独動作モードでは、前記データイネーブル信号で前記出力バッファーの出力を固定電圧レベルに設定し、前記Ｉ／Ｏ切り替え信号で前記入力バッファーを前記ディセーブルに設定してもよい。
【００１９】
これにより、マスターモードでは、クロック信号や表示制御信号を外部に出力し、単独動作モードでは、クロック信号や表示制御信号を外部に出力せず、かつ外部からクロック信号や表示制御信号の入力を受け付けなくすること等が可能になる。
【００２０】
また、本発明の一態様では、第１のモード設定端子及び第２のモード設定端子を有し、前記第１のモード設定端子及び前記第２のモード設定端子の電圧レベルに基づいて、前記マスターモード、前記単独動作モード及びスレーブモードの切替が行われてもよい。
【００２１】
これにより、マスターモード、単独動作モード及びスレーブモードのいずれかの動作を回路装置に行わせること等が可能になる。
【００２２】
また、本発明の他の態様では、表示パネルを駆動する駆動回路と、制御処理を行う制御回路と、スレーブ側回路装置に対して表示制御信号を供給するための表示制御端子と、を含み、前記制御回路は、マスターモードでは、前記表示制御端子を介して前記表示制御信号を前記スレーブ側回路装置に対して出力する制御を行い、単独動作モードでは、前記表示制御端子からの前記表示制御信号の出力を停止する制御を行う回路装置に関係する。
【００２３】
これにより、単独動作において消費される電力を抑制することができる。
【００２４】
また、本発明の他の態様では、前記回路装置と、前記表示パネルとを含む電気光学装置に関係する。
【００２５】
また、本発明の他の態様では、前記回路装置を含む電子機器に関係する。
【図面の簡単な説明】
【００２６】
【図１】本実施形態の回路構成図。
【図２】単独動作モード時の回路装置と表示パネルの実装例の説明図。
【図３】マスター側回路装置とスレーブ側回路装置の実装例の説明図。
【図４】モード設定端子の電圧レベルと各動作モードの関係図。
【図５】Ｉ／Ｏ回路の回路構成図。
【図６】複数のＩ／Ｏ回路の接続関係の説明図。
【図７】マスターモード時のＩ／Ｏ回路の動作説明図。
【図８】単独動作モード時のＩ／Ｏ回路の動作説明図。
【図９】マスター側回路装置とスレーブ側回路装置の他の実装例の説明図。
【発明を実施するための形態】
【００２７】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００２８】
１．概要
現在、前述したように、マスター側のドライバーＩＣとスレーブ側のドライバーＩＣのマスター・スレーブ動作で表示パネルを駆動する電気光学装置が広く用いられている。しかし、製品によっては、マスター・スレーブ動作ではなく、単独動作で表示パネルを駆動する場合がある。この単独動作を行う場合には、スレーブ側ＩＣが元々回路基板上に実装されていない。それにも関わらず、表示制御信号を出力するバッファー回路等が動作してしまい、無駄に電力が消費されてしまうことがあった。
【００２９】
以下で説明する本実施形態の回路装置等は、単独動作モードにおいて消費される電力を抑制する。具体的に本実施形態では、マスターモードでは、マスター側の回路装置が、クロック端子を介してクロック信号をスレーブ側の回路装置に出力し、単独動作モードでは、クロック端子からのクロック信号の出力を停止する。単独動作モードでは、クロック信号の出力が停止されるため、回路基板の配線の充放電や内部回路の無駄な動作による電力消費が抑制され、低消費化等を図ることができる。
【００３０】
２．回路構成
図１は、本実施形態の回路装置１００の回路構成図である。本実施形態の回路装置１００は、表示パネル２００を駆動する駆動回路１１０と、クロック信号を生成するクロック信号生成回路１２０と、制御処理を行う制御回路１３０と、不図示のスレーブ側回路装置に対してクロック信号を供給するためのクロック端子ＣＬＫと、表示ＲＡＭ１６０と、を含む。また、本実施形態の回路装置１００は、回路装置１００と、表示パネル２００とを含む電気光学装置に適用することができる。さらに、本実施形態の回路装置１００は、回路装置１００を含む電子機器に適用することができる。例えば電子機器の具体例としては、車載用モニターなどが挙げられる。なお、回路装置１００、電気光学装置及び電子機器は、図１の構成に限定されず、これらの一部の構成要素を省略したり、他の構成要素を追加したりするなどの種々の変形実施が可能である。
【００３１】
表示ＲＡＭ１６０には、不図示の外部の処理部から制御回路１３０を介して表示データが書き込まれる。駆動回路１１０は、表示ＲＡＭ１６０から表示データを読み出し、その表示データに対してＭＬＳデコード処理（MLS: Multi Line Selection）を行い、そのＭＬＳデコード処理された表示データに対応する駆動電圧で、表示パネル２００のセグメントを駆動させる。ＭＬＳ駆動では、表示パネル２００の複数ライン（複数のコモン線）の画素を同時に駆動させる。例えば、４ラインの画素を同時に駆動するＭＬＳ駆動では、同じ４ラインの画素をＭＬＳデコード処理された表示データで４回駆動させる。
【００３２】
そして、制御回路１３０は、マスターモードでは、クロック端子ＣＬＫを介してクロック信号をスレーブ側回路装置に対して出力する制御を行い、単独動作モードでは、クロック端子ＣＬＫからのクロック信号の出力を停止する制御を行う。
【００３３】
図２は、単独動作モード時の回路装置と表示パネルの実装例の説明図である。回路装置１００が単独動作モードで駆動される場合には、図２に示すように、回路基板上に回路装置１００であるドライバーＩＣが１チップ実装されており、スレーブ側回路装置は実装されない。そして、ドライバーＩＣは、表示パネル２００に接続され、外部のＭＰＵ（Micro-processing unit）等からのコマンドに基づいて動作する。前述したように、スレーブ側回路装置は実装されていないため、前述したように、クロック信号をスレーブ側回路装置に出力しない。よって、単独動作（単独動作モード）において消費される電力を抑制することができる。
【００３４】
一方、回路装置１００がマスターモードで駆動される場合には、図３に示すように、回路基板上にマスター側回路装置とスレーブ側回路装置が実装され、マスター側回路装置とスレーブ側回路装置が互いに接続される。具体的には、マスター側回路装置のクロック端子ＣＬＫとスレーブ側回路装置のクロック端子ＣＬＫが接続され、マスター側回路装置からスレーブ側回路装置にクロック信号が出力される。そして、例えばマスター側回路装置とスレーブ側回路装置が、それぞれ表示パネル２００の半分に接続される。
【００３５】
図３は、マスター側回路装置とスレーブ側回路装置の実装例の説明図である。また、図１に示すように、本実施形態の回路装置１００は、スレーブ側回路装置に対して表示制御信号を供給するための表示制御端子ＳＹＮＣを含む。図３の例では、表示制御端子が５つ（ＳＹＮＣ１〜ＳＹＮＣ５）あり、マスター側回路装置の表示制御端子とスレーブ側回路装置の表示制御端子がそれぞれ接続される。そして、制御回路１３０は、マスターモードでは、表示制御端子ＳＹＮＣ（図３ではＳＹＮＣ１〜ＳＹＮＣ５）を介して表示制御信号をスレーブ側回路装置に対して出力する制御を行い、単独動作モードでは、表示制御端子ＳＹＮＣからの表示制御信号の出力を停止する制御を行う。
【００３６】
例えば、表示制御信号の一例としては、表示パネルのオン状態とオフ状態を通知するための信号、ＭＬＳ演算のために用いる信号、液晶交流化信号及び表示タイミングの同期用信号などが考えられる。
【００３７】
これにより、単独動作モード時にクロック信号の出力を停止することと同様に、単独動作モードにおいて消費される電力を抑制することができる。
【００３８】
また、図１に示すように、本実施形態の回路装置１００は、クロック信号用のＩ／Ｏ回路１４０を含む。そして、制御回路１３０は、単独動作モードでは、Ｉ／Ｏ回路１４０の出力バッファーの動作を停止する。なお、Ｉ／Ｏ回路１４０の出力バッファーの動作の停止方法については、後に詳述する。
【００３９】
これにより、単独動作モード時にクロック信号の出力を停止すること等が可能になる。
【００４０】
さらに、図１に示すように、本実施形態の回路装置１００は、表示制御信号用のＩ／Ｏ回路１５０を含む。そして、制御回路１３０は、単独動作モードでは、Ｉ／Ｏ回路１５０の出力バッファーの動作を停止する。なお、Ｉ／Ｏ回路１５０の出力バッファーの動作の停止方法については、後に詳述する。
【００４１】
これにより、単独動作モード時に表示制御信号の出力を停止すること等が可能になる。
【００４２】
また、本実施形態の回路装置１００は、図１に示すように、第１のモード設定端子ＭＳ１及び第２のモード設定端子ＭＳ２を有する。そして、第１のモード設定端子ＭＳ１及び第２のモード設定端子ＭＳ２の電圧レベルに基づいて、マスターモード、単独動作モード及びスレーブモードの切替が行われる。
【００４３】
図４は、モード設定端子の電圧レベルと各動作モードの関係図である。図４の例では、第１のモード設定端子ＭＳ１及び第２のモード設定端子ＭＳ２の電圧レベルが共にＨレベルである場合には、回路装置１００は単独動作（１chip）モードに設定される。そして、第１のモード設定端子ＭＳ１の電圧レベルがＨレベル、第２のモード設定端子ＭＳ２の電圧レベルがＬレベルである場合には、回路装置１００はマスター（Ｍａｓｔｅｒ）モードに設定される。さらに、第１のモード設定端子ＭＳ１及び第２のモード設定端子ＭＳ２の電圧レベルが共にＬレベルである場合には、回路装置１００はスレーブ（Ｓｌａｖｅ）モードに設定される。なお、第１のモード設定端子ＭＳ１の電圧レベルがＬレベル、第２のモード設定端子ＭＳ２の電圧レベルがＨレベルの場合は禁止（Ｐｒｏｈｉｂｉｔｅｄ）モードであり、この禁止モードにはならないようにモード設定端子の電圧レベルを設定する必要がある。ただし、本実施形態はその限りではなく、４つ目のモードを設定してもよい。また、本実施形態では、回路装置１００を回路基板に実装する際に、第１のモード設定端子ＭＳ１及び第２のモード設定端子ＭＳ２の電圧レベルが常に一定になるように実装することを想定している。しかし、第１のモード設定端子ＭＳ１及び第２のモード設定端子ＭＳ２の電圧レベルを可変に設定可能であってもよい。
【００４４】
例えば、第１のモード設定端子ＭＳ１及び第２のモード設定端子ＭＳ２が回路基板上において低電位側電源電圧（例えばグランド電圧）に接続されることで、これらの端子の電圧レベルがＬレベルに設定され、高電位側電源電圧（例えば表示ドライバーのロジック電源電圧）に接続されることで、これらの端子の電圧レベルがＨレベルに設定される。
【００４５】
これにより、マスターモード、単独動作モード及びスレーブモードのいずれかの動作を回路装置１００に行わせること等が可能になる。
【００４６】
モード設定端子に設定する電圧レベルは、回路装置１００に含まれるメモリーに記憶する構成としてもよい。例えば、第１のモード設定端子ＭＳ１及び第２のモード設定端子ＭＳ２の電圧レベルの設定情報をヒューズ回路または不揮発メモリーに記憶して制御回路１３０に入力する構成としてもよい。
【００４７】
３．Ｉ／Ｏ回路構成
図５は、Ｉ／Ｏ回路の具体的な回路構成図である。図５に示すように、クロック信号用のＩ／Ｏ回路１４０は、クロック信号を出力するための出力バッファー１４１と、クロック信号を入力するための入力バッファー１４３と、出力バッファー１４１と入力バッファー１４３を制御するためのＩ／Ｏ制御回路１４５と、を含む。そして、制御回路１３０は、Ｉ／Ｏ制御回路１４５にＩ／Ｏ切り替え信号ＩＮＯＵＴと、データイネーブル信号ＥＮ＿ＤＡＴＡとデータ信号ＤＡＴＡ＿Ｏを入力する。
【００４８】
出力バッファー１４１は、ＰＭＯＳトランジスター（図５のＴＲ１）と、ＮＭＯＳトランジスター（図５のＴＲ２）とを含む。入力バッファー１４３は、インバーターＩＮ３を含む。そして、Ｉ／Ｏ制御回路１４５は、インバーターＩＮ１と、インバーターＩＮ２と、ＮＡＮＤ回路ＮＡ１と、ＮＡＮＤ回路ＮＡ２と、ＮＯＲ回路ＮＯ１と、を含む。
【００４９】
入出力端子Ｉ／Ｏは双方向信号の端子である。入出力端子Ｉ／Ｏは出力バッファー１４１からの出力信号を出力する。また、入出力端子Ｉ／Ｏは入力バッファー１４３に対する入力信号を入力する。
【００５０】
インバーターＩＮ１には、Ｉ／Ｏ切り替え信号ＩＮＯＵＴが入力され、インバーターＩＮ１から、ＮＡＮＤ回路ＮＡ１とＮＡＮＤ回路ＮＡ２に信号が出力される。ＮＡＮＤ回路ＮＡ２には、インバーターＩＮ１の出力と、データイネーブル信号ＥＮ＿ＤＡＴＡと、データ信号ＤＡＴＡ＿Ｏの３つの信号が入力され、ＮＡＮＤ回路ＮＡ２からインバーターＩＮ２に信号が出力される。また、インバーターＩＮ２には、ＮＡＮＤ回路ＮＡ２の出力信号が入力され、インバーターＩＮ２からＮＡＮＤ回路ＮＡ１及びＮＯＲ回路ＮＯ１に信号が出力される。そして、ＮＡＮＤ回路ＮＡ１には、インバーターＩＮ１の出力信号と、インバーターＩＮ２の出力信号とが入力され、ＮＡＮＤ回路ＮＡ１からＰＭＯＳトランジスター（ＴＲ１）に信号が出力される。ＮＯＲ回路ＮＯ１には、インバーターＩＮ２の出力信号と、Ｉ／Ｏ切り替え信号ＩＮＯＵＴとが入力され、ＮＯＲ回路ＮＯ１からＮＭＯＳトランジスター（ＴＲ２）に信号が出力される。ＴＲ１及びＴＲ２は入出力端子Ｉ／Ｏから出力信号を出力する。ＮＡＮＤ回路ＮＡ３には、Ｉ／Ｏ切り替え信号ＩＮＯＵＴと、入出力端子Ｉ／Ｏからの入力信号とが入力され、ＮＡＮＤ回路ＮＡ３からインバーターＩＮ３に信号が出力される。インバーターＩＮ３には、ＮＡＮＤ回路ＮＡ３の出力信号が入力され、制御回路１３０への入力信号ＤＡＴＡ＿Ｉが出力される。
【００５１】
ここで、Ｉ／Ｏ切り替え信号ＩＮＯＵＴは、Ｉ／Ｏ回路１４０の入出力を切り替えるために用いられる信号である。言い換えれば、Ｉ／Ｏ切り替え信号ＩＮＯＵＴに基づいて、出力バッファー１４１と入力バッファー１４３をイネーブルにしたり、ディセーブルにしたりする。本例では、Ｉ／Ｏ切り替え信号ＩＮＯＵＴがＨレベルに設定されている時にはＩ／Ｏ回路１４０が入力可能状態（スレーブモード）になり、Ｉ／Ｏ切り替え信号ＩＮＯＵＴがＬレベルに設定されている時にはＩ／Ｏ回路１４０が出力可能状態になる。
【００５２】
また、データイネーブル信号ＥＮ＿ＤＡＴＡは、Ｉ／Ｏ回路１４０に入力されるデータ信号ＤＡＴＡ＿Ｏを有効にするか否かを決定するために用いる信号である。具体的には、データイネーブル信号ＥＮ＿ＤＡＴＡがＨレベルである場合には、データ信号ＤＡＴＡ＿Ｏが有効になり、入出力端子Ｉ／Ｏからデータ信号ＤＡＴＡ＿Ｏが出力される。一方、データイネーブル信号ＥＮ＿ＤＡＴＡがＬレベルである場合には、データ信号ＤＡＴＡ＿Ｏは無効となり、入出力端子Ｉ／Ｏに出力する出力信号は常に固定電圧レベル（Ｌレベル）となる。詳しくは後述する。
【００５３】
Ｉ／Ｏ切り替え信号ＩＮＯＵＴ及びデータイネーブル信号ＥＮ＿ＤＡＴＡは、制御回路１３０が、モード設定端子ＭＳ１、ＭＳ２の電圧レベルに基づいて設定する。
【００５４】
これにより、Ｉ／Ｏ制御回路１４５は、入力されたＩ／Ｏ切り替え信号ＩＮＯＵＴと、データイネーブル信号ＥＮ＿ＤＡＴＡに基づいて、マスターモード、単独動作モード及びスレーブモードのいずれかの動作を行うこと等が可能になる。
【００５５】
また、表示制御信号用のＩ／Ｏ回路１５０はＩ／Ｏ回路１４０と同じＩ／Ｏ回路で構成してもよい。クロック信号用のＩ／Ｏ回路１４０と同様に、表示制御信号を出力するための出力バッファー１５１と、表示制御信号を入力するための入力バッファー１５３と、出力バッファーと入力バッファーを制御するためのＩ／Ｏ制御回路１５５と、を含む。そして、制御回路１３０は、Ｉ／Ｏ制御回路１５５にＩ／Ｏ切り替え信号ＩＮＯＵＴと、データイネーブル信号ＥＮ＿ＤＡＴＡを入力する。
【００５６】
これにより、Ｉ／Ｏ制御回路１５５もＩ／Ｏ制御回路１４５と同様に、入力されたＩ／Ｏ切り替え信号ＩＮＯＵＴと、データイネーブル信号ＥＮ＿ＤＡＴＡに基づいて、マスターモード、単独動作モード及びスレーブモードのいずれかの動作を行うこと等が可能になる。なお、Ｉ／Ｏ回路は、図５の構成に限定されず、これらの一部の構成要素を省略したり、他の構成要素を追加したりするなどの種々の変形実施が可能である。
【００５７】
図６は、複数のＩ／Ｏ回路の接続関係の説明図である。Ｉ／Ｏ回路は端子毎に設けられる。つまり、図６に示すように、クロック端子ＣＬＫに対してはクロック端子用のＩ／Ｏ回路ＩＯＣが設けられ、各表示制御端子（ＳＹＮＣ１〜ＳＹＮＣ５）に対しては各表示制御端子用のＩ／Ｏ回路（ＩＯＳ１〜ＩＯＳ５）がそれぞれ設けられる。
【００５８】
次に、Ｉ／Ｏ回路の具体的な動作についてクロック信号を例にして説明する。まず、クロック端子用のＩ／Ｏ回路ＩＯＣに対しては、Ｉ／Ｏ切り替え信号ＩＮＯＵＴと、データイネーブル信号ＥＮ＿ＤＡＴＡが入力される。
【００５９】
Ｉ／Ｏ切り替え信号ＩＮＯＵＴの電圧レベルは、図４に示すように、第１のモード設定端子ＭＳ１の電圧レベルが反転した電圧レベルに設定される。すなわち、第１のモード設定端子ＭＳ１の電圧レベルがＬレベルである場合には、Ｉ／Ｏ切り替え信号ＩＮＯＵＴの電圧レベルがＨレベルになり、第１のモード設定端子ＭＳ１の電圧レベルがＨレベルである場合には、Ｉ／Ｏ切り替え信号ＩＮＯＵＴの電圧レベルがＬレベルになる。
【００６０】
また、図４に示すように、第１のモード設定端子ＭＳ１及び第２のモード設定端子ＭＳ２の電圧レベルが共にＨレベルの場合には、データイネーブル信号ＥＮ＿ＤＡＴＡの電圧レベルがＬレベルに設定される。そして、第１のモード設定端子ＭＳ１の電圧レベルがＨレベルで、第２のモード設定端子ＭＳ２の電圧レベルがＬレベルの場合には、データイネーブル信号ＥＮ＿ＤＡＴＡの電圧レベルがＨレベルに設定される。また、第１のモード設定端子ＭＳ１と第２のモード設定端子ＭＳ２の電圧レベルが共にＬレベルである場合には、データイネーブル信号ＥＮ＿ＤＡＴＡはＨレベルもＬレベルのどちらの電圧レベルであってもよい。
【００６１】
なお、第１のモード設定端子ＭＳ１の電圧レベルがＬレベルで、第２のモード設定端子ＭＳ２の電圧レベルがＨレベルである場合には、Ｉ／Ｏ切り替え信号ＩＮＯＵＴ及びデータイネーブル信号ＥＮ＿ＤＡＴＡの電圧レベルは仕様として定義されていない。このようなモード設定端子の設定は禁止されている。
【００６２】
そして、マスターモードでは、Ｉ／Ｏ切り替え信号ＩＮＯＵＴで出力バッファー１４１をイネーブルに、入力バッファー１４３をディセーブルに設定する。この場合には、クロック端子用のＩ／Ｏ回路ＩＯＣにクロック信号ＣＬＫ＿Ｏがデータ信号ＤＡＴＡ＿Ｏとしてさらに入力され、入力されたクロック信号と同じ論理レベルの電圧信号として入出力端子Ｉ／Ｏから出力される。
【００６３】
図７は、マスターモード時のＩ／Ｏ回路の動作説明図である。より具体的に説明するために、マスターモード時の各信号の電圧レベルを図７に示す。図７に示すように、マスターモード時には、ＬレベルのＩ／Ｏ切り替え信号ＩＮＯＵＴと、Ｈレベルのデータイネーブル信号ＥＮ＿ＤＡＴＡが、Ｉ／Ｏ制御回路１４５に入力される。また、データ信号ＤＡＴＡ＿Ｏはクロック信号であるため、データ信号ＤＡＴＡ＿Ｏの電圧レベルはＬレベルにもＨレベルにもなり得る。この場合には、データ信号ＤＡＴＡ＿Ｏの電圧レベルがＬレベルの時に、出力バッファー１４１のＰＭＯＳトランジスターがオフになり、ＮＭＯＳトランジスターがオンになるため、Ｌレベルのクロック信号が外部へ出力される。一方、データ信号ＤＡＴＡ＿Ｏの電圧レベルがＨレベルの時には、出力バッファー１４１のＰＭＯＳトランジスターがオンになり、ＮＭＯＳトランジスターがオフになるため、Ｈレベルのクロック信号が外部へ出力される。つまり、クロック信号であるデータ信号ＤＡＴＡ＿Ｏと同じ論理レベルの信号が、Ｉ／Ｏ回路１４０の入出力端子Ｉ／Ｏから出力される。また、図７に示すように、入力バッファー１４３にはＨレベルの信号が入力されるため、入力バッファー１４３の出力は常にＬレベルになる（ディセーブル）。なお、詳細な説明は省略するが、Ｉ／Ｏ回路１４０は表示制御信号についても同様の動作を行う。これにより、マスターモードでは、クロック信号や表示制御信号を外部に出力すること等が可能になる。
【００６４】
また、Ｉ／Ｏ回路がスレーブモードで動作する場合には、マスター側回路装置から入力された信号ＤＡＴＡ＿Ｉをクロック信号ＣＬＫ＿Ｉとして制御回路１３０に出力する。スレーブモードでは、出力バッファー１４１のＰＭＯＳトランジスター及びＮＭＯＳトランジスターが両方ともオフになるため、出力バッファー１４１の出力はハイインピーダンス状態となる。これにより、スレーブモードでは、入力されるクロック信号や表示制御信号を入出力端子Ｉ／Ｏから受け付けること等が可能になる。
【００６５】
次に、単独動作モードでは、データイネーブル信号ＥＮ＿ＤＡＴＡで出力バッファー１４１の出力を固定電圧レベル（Ｌレベル）に設定し、Ｉ／Ｏ切り替え信号ＩＮＯＵＴで入力バッファー１４３をディセーブルに設定する。
【００６６】
図８は、単独動作モード時のＩ／Ｏ回路の動作説明図である。より具体的に説明するために、単独動作モード時の各信号の電圧レベルを図８に示す。図８に示すように、単独動作モード時には、ＬレベルのＩ／Ｏ切り替え信号ＩＮＯＵＴと、Ｌレベルのデータイネーブル信号ＥＮ＿ＤＡＴＡが、Ｉ／Ｏ制御回路１４５に入力される。また、前述したように、データ信号ＤＡＴＡ＿Ｏの電圧レベルはＬレベルにもＨレベルにもなり得るが、この場合にはデータ信号ＤＡＴＡ＿Ｏの電圧レベルに関わらず、出力バッファー１４１のＰＭＯＳが常にオフになり、ＮＭＯＳが常にオンになる。これにより、外部への出力信号の電圧レベルを常に固定電圧レベル（Ｌレベル）に設定することができる。また、図８に示すように、入力バッファー１４３にはＨレベルの信号が入力されるため、入力バッファー１４３の出力は常にＬレベルになる（ディセーブル）。表示制御信号についても同様である。これにより、単独動作モードでは、クロック信号や表示制御信号を外部に出力せず、かつ外部からクロック信号や表示制御信号の入力を受け付けなくすること等が可能になる。
【００６７】
４．変形例
図９は、マスター側回路装置とスレーブ側回路装置の他の実装例の説明図である。また、本実施形態では、クロック信号生成回路１２０が回路装置１００の外部に設けられ、回路装置１００が外部のクロック信号生成回路１２０からクロック信号を取得してもよい。例えば、図９に示すように、マスターに外部からクロック信号が入力され、入力されたクロック信号がマスターからスレーブに出力される。
【００６８】
この場合、本実施形態の変形例の回路装置１００では、表示パネル２００を駆動する駆動回路１１０と、制御処理を行う制御回路１３０と、スレーブ側回路装置に対して表示制御信号を供給するための表示制御端子ＳＹＮＣと、を含む。そして、制御回路１３０は、マスターモードでは、表示制御端子ＳＹＮＣを介して表示制御信号をスレーブ側回路装置に対して出力する制御を行い、単独動作モードでは、表示制御端子ＳＹＮＣからの表示制御信号の出力を停止する制御を行う。
【００６９】
これにより、回路装置がクロック信号生成回路１２０を駆動させる必要がなくなり、省電力化を図ることが可能になる。
【００７０】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また、回路装置、電気光学装置及び電子機器の構成、動作も本実施形態で説明したものに限定されず、種々の変形実施が可能である。
【符号の説明】
【００７１】
１００  回路装置、１１０  駆動回路、１２０  クロック信号生成回路、
１３０  制御回路、１４０  クロック信号用のＩ／Ｏ回路、１４１  出力バッファー、
１４３  入力バッファー、１４５  Ｉ／Ｏ制御回路、
１５０  表示制御信号用のＩ／Ｏ回路、１５１  出力バッファー、
１５３  入力バッファー、１５５  Ｉ／Ｏ制御回路、２００  表示パネル
【図１】
2016212238.tif 000003
【図２】
2016212238.tif 000004
【図３】
2016212238.tif 000005
【図４】
2016212238.tif 000006
【図５】
2016212238.tif 000007
【図６】
2016212238.tif 000008
【図７】
2016212238.tif 000009
【図８】
2016212238.tif 000010
【図９】
2016212238.tif 000011